(57)【特許請求の範囲】
【請求項１】
オーラルケアスタンドであって、
前記オーラルケアスタンドは、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、
前記スタンド本体部分は、スタンド開口部分を有し、
前記スタンド開口部分は、前記装置機能部分が挿入される開口内部空間を有し、
前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分、および、前記支持底壁部分に設けられる支持周壁部分を有し、
前記支持周壁部分は、排水路を有する
オーラルケアスタンド。
【請求項２】
前記支持底壁部分は、前記装置機能部分と対向する底壁部分主面を有し、
前記底壁部分主面は、前記オーラルケアスタンドの長手方向に直交する幅方向において前記スタンド支持部分の軸から離れるにつれて、前記オーラルケアスタンドの長手方向の上方向側から下方向側に向けて傾斜する
請求項１に記載のオーラルケアスタンド。
【請求項３】
オーラルケアスタンドであって、
前記オーラルケアスタンドは、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、
前記スタンド本体部分は、スタンド開口部分を有し、
前記スタンド開口部分は、前記装置機能部分が挿入される開口内部空間を有し、
前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分を有し、
前記支持底壁部分は、前記装置機能部分と対向する底壁部分主面を有し、
前記底壁部分主面は、前記オーラルケアスタンドの長手方向に直交する幅方向において前記スタンド支持部分の軸から離れるにつれて、前記オーラルケアスタンドの長手方向の上方向側から下方向側に向けて傾斜する
オーラルケアスタンド。
【請求項４】
前記スタンド本体部分は、前記スタンド開口部分、およびスタンド中間部分を有し、
前記スタンド中間部分は、前記オーラルケアスタンドの長手方向において前記スタンド開口部分と前記スタンド支持部分との間に形成され、前記装置機能部分の少なくとも一部分を覆う形状を有する
請求項１〜３のいずれか一項に記載のオーラルケアスタンド。
【請求項５】
前記スタンド中間部分は、中間内部空間および通気孔を有し、
前記中間内部空間は、前記開口内部空間と連続して形成され、
前記通気孔は、前記中間内部空間と外部とを互いに連通する
請求項４に記載のオーラルケアスタンド。
【請求項６】
前記オーラルケアスタンドは、前記スタンド本体部分と前記スタンド支持部分とを互いに組み合わせること、および前記スタンド本体部分と前記スタンド支持部分とを互いに分離することが可能な構成を有する
請求項１〜５のいずれか一項に記載のオーラルケアスタンド。
【請求項７】
前記オーラルケアスタンドは、幅寸法が前記オーラルケアスタンドの長手方向において異なる構成を有し、
前記スタンド本体部分は、前記幅寸法が最大となる本体最大幅部分を有し、
前記スタンド支持部分は、前記幅寸法が最大となる支持最大幅部分を有し、
前記支持最大幅部分の幅寸法は、前記本体最大幅部分の幅寸法よりも大きい
請求項１〜６のいずれか一項に記載のオーラルケアスタンド。
【請求項８】
前記支持最大幅部分の幅寸法は、前記本体最大幅部分の幅寸法の１．５倍以上の大きさを有する
請求項７に記載のオーラルケアスタンド。
【発明の詳細な説明】
【技術分野】
【０００１】
本発明は、オーラルケアスタンドに関する。
【背景技術】
【０００２】
特許文献１は、オーラルケアセットの一例を開示している。
特許文献１のオーラルケアセットは、オーラルケア装置（歯ブラシ１２）およびオーラルケアスタンド（歯ブラシ立て１）を有する。オーラルケア装置は、装置機能部分（ブラシ部１３）および装置本体部分（柄部１４）を有する。オーラルケアスタンドは、装置機能部分が装置本体部分よりも上方向側に位置する状態においてオーラルケア装置を保持する。
【先行技術文献】
【特許文献】
【０００３】
【特許文献１】特開２００９−２３３００９号公報
【発明の概要】
【発明が解決しようとする課題】
【０００４】
特許文献１のオーラルケアセットにおいては、オーラルケア装置がオーラルケアスタンドにより保持されているとき、装置機能部分に付着している水分が装置機能部分の表面をつたうことにより、装置本体部分の表面に水分が付着するおそれがある。なお、ここでは、オーラルケア装置としての歯ブラシを保持するオーラルケアスタンドの課題について言及したが、歯ブラシ以外のオーラルケア装置についても同様の課題が存在していると考えられる。
【０００５】
本発明は、以上の背景をもとに創作されたものであり、オーラルケア装置の装置機能部分に付着した水分が装置本体部分に付着しにくい状態においてオーラルケア装置を保持することが可能なオーラルケアスタンドを提供することを目的とする。
【課題を解決するための手段】
【０００６】
本発明に従うオーラルケアスタンドの第１の形態は、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、前記スタンド本体部分は、スタンド開口部分を有し、前記スタンド開口部分は、前記装置機能部分が挿入される開口内部空間を有し、前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分、および、前記支持底壁部分に設けられる支持周壁部分を有し、前記支持周壁部分は、排水路を有する。
本発明に従うオーラルケアスタンドの第２の形態は、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、前記スタンド本体部分は、スタンド開口部分を有し、前記スタンド開口部分は、前記装置機能部分が挿入される開口内部空間を有し、前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分を有し、前記支持底壁部分は、前記装置機能部分と対向する底壁部分主面を有し、前記底壁部分主面は、前記オーラルケアスタンドの長手方向に直交する幅方向において前記スタンド支持部分の軸から離れるにつれて、前記オーラルケアスタンドの長手方向の上方向側から下方向側に向けて傾斜する。
【発明の効果】
【００１４】
本発明は、オーラルケア装置の装置機能部分に付着した水分が装置本体部分に付着しにくい状態においてオーラルケア装置を保持することが可能なオーラルケアスタンドを提供する。
【図面の簡単な説明】
【００１５】
【図１】第１実施形態のオーラルケアセットの正面構造を示す正面図。
【図２】第１実施形態のオーラルケアセットの側面構造を示す側面図。
【図３】第１実施形態のオーラルケアセットを構成する電動歯ブラシに関する図であり、（ａ）は正面構造を示す正面図、（ｂ）は側面構造を示す側面図。
【図４】第１実施形態のオーラルケアセットを構成する電動歯ブラシに関する図であり、（ａ）はＹＺ平面において、歯ブラシアタッチメント、上部ケース、下部ケース、および装飾リングが破断した状態の正面構造を示す正面図、（ｂ）は同（ａ）のＹＺ平面において中間ケースが破断した状態の正面構造を示す正面図。
【図５】第１実施形態のオーラルケアセットを構成する歯ブラシスタンドに関する図であり、（ａ）は正面構造を示す正面図、（ｂ）は背面構造を示す背面図、（ｃ）は側面構造を示す側面図。
【図６】第１実施形態のオーラルケアセットを構成する歯ブラシスタンドのスタンド本体部分に関する図であり、（ａ）は正面構造を示す正面図、（ｂ）は背面構造を示す背面図、（ｃ）は側面構造を示す側面図。
【図７】第１実施形態のオーラルケアセットを構成する歯ブラシスタンドのスタンド本体部分に関する図であり、（ａ）は（ｂ）のＤ７Ａ−Ｄ７Ａ線における断面構造を示す断面図、（ｂ）は平面構造を示す平面図、（ｃ）は底面構造を示す底面図。
【図８】第１実施形態のオーラルケアセットを構成する歯ブラシスタンドのスタンド本体部分に関する図であり、（ａ）は中間嵌合部分の正面構造を示す正面図、（ｂ）は中間嵌合部分の背面構造を示す背面図、（ｃ）は中間嵌合部分の側面構造を示す側面図。
【図９】第１実施形態のオーラルケアセットを構成する歯ブラシスタンドのスタンド支持部分に関する図であり、（ａ）は平面構造を示す平面図、（ｂ）は背面構造を示す背面図、（ｃ）はＤ９Ａ−Ｄ９Ａ線における断面構造を示す断面図。
【図１０】第１実施形態のオーラルケアセットを構成する歯ブラシスタンドに関する図であり、（ａ）は図１１のＤ１１Ａ−Ｄ１１Ａ線における断面構造を示す断面図、（ｂ）は図１１のＤ１１Ｂ−Ｄ１１Ｂ線における断面構造を示す断面図、（ｃ）は図１１のＤ１１Ｃ−Ｄ１１Ｃ線における断面構造を示す断面図。
【図１１】第１実施形態のオーラルケアセットを構成する歯ブラシスタンドに関する図であり、（ａ）は平面構造を示す平面図、（ｂ）は図５のＤ５Ａ−Ｄ５Ａ線における断面構造を示す断面図。
【図１２】第１実施形態のオーラルケアセットの第１ブラシ保持状態に関する図であり、ＹＺ平面において歯ブラシスタンドが破断した状態の正面構造を示す正面図。
【図１３】第１実施形態のオーラルケアセットの第１ブラシ保持状態に関する図であり、ＺＸ平面において歯ブラシスタンドが破断した状態の側面構造を示す側面図。
【図１４】第１実施形態のオーラルケアセットの第２ブラシ保持状態に関する図であり、ＹＺ平面において歯ブラシスタンドが破断した状態の正面構造を示す正面図。
【図１５】第１実施形態のオーラルケアセットの第２ブラシ保持状態に関する図であり、ＺＸ平面において歯ブラシスタンドが破断した状態の側面構造を示す側面図。
【図１６】第２実施形態のオーラルケアセットの正面構造を示す正面図。
【発明を実施するための形態】
【００１６】
（オーラルケアスタンドが取り得る形態の一例）
〔１〕本発明に従うオーラルケアスタンドの第１の形態は、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、前記スタンド本体部分は、スタンド開口部分を有し、前記スタンド開口部分は、前記装置機能部分が挿入される開口内部空間を有し、前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分、および、前記支持底壁部分に設けられる支持周壁部分を有し、前記支持周壁部分は、排水路を有する。
〔２〕前記オーラルケアスタンドの一例によれば、前記支持底壁部分は、前記装置機能部分と対向する底壁部分主面を有し、前記底壁部分主面は、前記オーラルケアスタンドの長手方向に直交する幅方向において前記スタンド支持部分の軸から離れるにつれて、前記オーラルケアスタンドの長手方向の上方向側から下方向側に向けて傾斜する。
〔３〕本発明に従うオーラルケアスタンドの第２の形態は、スタンド本体部分およびスタンド支持部分を有し、前記オーラルケアスタンドの長手方向においてオーラルケア装置の装置機能部分が前記オーラルケア装置の装置本体部分よりも下方向側に位置する状態において、前記オーラルケア装置を保持することが可能な構成を有し、前記スタンド本体部分は、スタンド開口部分を有し、前記スタンド開口部分は、前記装置機能部分が挿入される開口内部空間を有し、前記スタンド支持部分は、前記オーラルケアスタンドの長手方向において前記スタンド本体部分の下方向側に形成されて前記スタンド本体部分を支持し、前記スタンド開口部分よりも幅寸法が大きく、前記オーラルケアスタンドの長手方向において前記装置機能部分の先端部分と対向する支持底壁部分を有し、前記支持底壁部分は、前記装置機能部分と対向する底壁部分主面を有し、前記底壁部分主面は、前記オーラルケアスタンドの長手方向に直交する幅方向において前記スタンド支持部分の軸から離れるにつれて前記オーラルケアスタンドの長手方向の上方向側から下方向側に向けて傾斜する。
〔４〕前記オーラルケアスタンドの一例によれば、前記スタンド本体部分は、前記スタンド開口部分、およびスタンド中間部分を有し、前記スタンド中間部分は、前記オーラルケアスタンドの長手方向において前記スタンド開口部分と前記スタンド支持部分との間に形成され、前記装置機能部分の少なくとも一部分を覆う形状を有する。
〔５〕前記オーラルケアスタンドの一例によれば、前記スタンド中間部分は、中間内部空間および通気孔を有し、前記中間内部空間は、前記開口内部空間と連続して形成され、前記通気孔は、前記中間内部空間と外部とを互いに連通する。
〔６〕前記オーラルケアスタンドの一例によれば、前記オーラルケアスタンドは、前記スタンド本体部分と前記スタンド支持部分とを互いに組み合わせること、および前記スタンド本体部分と前記スタンド支持部分とを互いに分離することが可能な構成を有する。
〔７〕前記オーラルケアスタンドの一例によれば、前記オーラルケアスタンドは、幅寸法が前記オーラルケアスタンドの長手方向において異なる構成を有し、前記スタンド本体部分は、前記幅寸法が最大となる本体最大幅部分を有し、前記スタンド支持部分は、前記幅寸法が最大となる支持最大幅部分を有し、前記支持最大幅部分の幅寸法は、前記本体最大幅部分の幅寸法よりも大きい。
〔８〕前記オーラルケアスタンドの一例によれば、前記支持最大幅部分の幅寸法は、前記本体最大幅部分の幅寸法の１．５倍以上の大きさを有する。
【００１７】
（第１実施形態）
オーラルケアセット１は、Ｘ方向、Ｙ方向、Ｚ方向、前方向ＸＡ、後方向ＸＢ、右方向ＹＡ、左方向ＹＢ、上方向ＺＡ、下方向ＺＢ、ＸＹ平面、ＹＺ平面、ＺＸ平面、径方向、幅方向、外方向、および内方向を有する。
各方向および各平面は以下の定義を有する。
（Ａ）Ｘ方向は、セット１の側面視においてセット１の長手方向と直交する方向を示す。（Ｂ）Ｙ方向は、セット１の正面視においてセット１の長手方向と直交する方向を示す。（Ｃ）Ｚ方向は、セット１の長手方向を示す。
（Ｄ）前方向ＸＡは、Ｘ方向において背面側から正面側に向かう方向を示す。
（Ｅ）後方向ＸＢは、Ｘ方向において正面側から背面側に向かう方向を示す。
（Ｆ）右方向ＹＡは、正面視のＹ方向において左側から右側に向かう方向を示す。
（Ｇ）左方向ＹＢは、正面視のＹ方向において右側から左側に向かう方向を示す。
（Ｈ）上方向ＺＡは、Ｚ方向においてセット１の底部から先端に向かう方向を示す。
（Ｉ）下方向ＺＢは、Ｚ方向においてセット１の先端から底部に向かう方向を示す。
（Ｊ）ＸＹ平面は、Ｘ方向およびＹ方向により規定される平面を示す。
（Ｋ）ＹＺ平面は、Ｙ方向およびＺ方向により規定される平面を示す。
（Ｌ）ＺＸ平面は、Ｚ方向およびＸ方向により規定される平面を示す。
（Ｍ）径方向は、Ｚ軸まわりの半径方向を示す。
（Ｎ）幅方向は、Ｚ軸に直交する方向を示す。
（Ｏ）外方向は、径方向または幅方向においてセット１の軸から離れる方向を示す。
（Ｐ）内方向は、径方向または幅方向においてセット１の軸に近づく方向を示す。
【００１８】
オーラルケアセット１は、長手寸法および幅寸法を有する。
長手寸法は、Ｚ軸上の線分またはＺ軸に平行する線分（以下、「長手線分」）により規定されるオーラルケアセット１の任意の２点間の寸法を示す。すなわち、オーラルケアセット１の長手寸法は、長手線分の一方の端点により規定されるセット１の所定の部分と、長手線分の他方の端点により規定されるセット１の所定の部分との間の距離を示す。長手寸法は、典型的には、オーラルケアセット１の構成要素の１個における長手方向の一方の端部と長手方向の他方の端部との間の距離を示す。
【００１９】
幅寸法は、Ｘ軸上の線分またはＸ軸に平行する線分、Ｙ軸上の線分またはＹ軸に平行する線分、またはＸＹ平面に属するその他の幅方向の線分（以下、「幅線分」）により規定されるオーラルケアセット１の任意の２点間の寸法を示す。すなわち、オーラルケアセット１の幅寸法は、幅線分の一方の端点により規定されるセット１の所定の部分と、幅線分の他方の端点により規定されるセット１の所定の部分との間の距離を示す。幅寸法は、典型的には、オーラルケアセット１の構成要素の１個における幅方向の一方の縁と幅方向の他方の縁との間の距離を示す。
【００２０】
オーラルケアセット１は、図１および図２に例示される構成を有する。オーラルケアセット１は、柱形状を有する。オーラルケアセット１は、オーラルケア装置としての電動歯ブラシ１０、およびオーラルケアスタンドとしての歯ブラシスタンド１００を有する。オーラルケアセット１は、個別の部品として形成された電動歯ブラシ１０および歯ブラシスタンド１００の集合体として構成される。オーラルケアセット１は、電動歯ブラシ１０および歯ブラシスタンド１００の結合状態として、第１ブラシ保持状態、第２ブラシ保持状態、およびブラシ分離状態を有する。
【００２１】
第１ブラシ保持状態は、図１、図２、図１２、および図１３に記載される結合状態を示す。第１ブラシ保持状態においては、歯ブラシスタンド１００の長手方向において電動歯ブラシ１０の歯ブラシアタッチメント８０が電動歯ブラシ１０の歯ブラシ本体２０よりも下方向ＺＢ２側に位置する。第１ブラシ保持状態においては、歯ブラシアタッチメント８０が歯ブラシスタンド１００の内部に位置し、歯ブラシ本体２０が歯ブラシアタッチメント８０の外部に位置する。
【００２２】
第２ブラシ保持状態は、図１４および図１５に記載される結合状態を示す。第２ブラシ保持状態においては、歯ブラシスタンド１００の長手方向において歯ブラシアタッチメント８０が歯ブラシ本体２０よりも上方向ＺＡ２側に位置する。第２ブラシ保持状態においては、歯ブラシアタッチメント８０が歯ブラシスタンド１００の外部に位置し、歯ブラシ本体２０が歯ブラシアタッチメント８０の内部に位置する。
【００２３】
ブラシ分離状態は、電動歯ブラシ１０が歯ブラシスタンド１００により保持されていない状態を示す。ブラシ分離状態においては、電動歯ブラシ１０が歯ブラシスタンド１００に対して任意の姿勢を取り得る。ブラシ分離状態は、典型的には、ユーザーにより電動歯ブラシ１０が使用されるときに形成される。
【００２４】
オーラルケアセット１においては、電動歯ブラシ１０に関する各方向Ｘ，Ｙ，Ｚと、歯ブラシスタンド１００に関する各方向Ｘ，Ｙ，Ｚとが個別に規定される。オーラルケアセット１のＸ方向は、電動歯ブラシ１０のＸ方向および歯ブラシスタンド１００のＸ方向を含む。オーラルケアセット１のＹ方向は、電動歯ブラシ１０のＹ方向および歯ブラシスタンド１００のＹ方向を含む。オーラルケアセット１のＺ方向は、電動歯ブラシ１０のＺ方向および歯ブラシスタンド１００のＺ方向を含む。オーラルケアセット１の前方向ＸＡは、電動歯ブラシ１０の前方向ＸＡ１および歯ブラシスタンド１００の前方向ＸＡ２を含む。オーラルケアセット１の後方向ＸＢは、電動歯ブラシ１０の後方向ＸＢ１および歯ブラシスタンド１００の後方向ＸＢ２を示す。オーラルケアセット１の右方向ＹＡは、電動歯ブラシ１０の右方向ＹＡ１および歯ブラシスタンド１００の右方向ＹＡ２を含む。オーラルケアセット１の左方向ＹＢは、電動歯ブラシ１０の左方向ＹＢ１および歯ブラシスタンド１００の左方向ＹＢ２を含む。オーラルケアセット１の上方向ＺＡは、電動歯ブラシ１０の上方向ＺＡ１および歯ブラシスタンド１００の上方向ＺＡ２を含む。オーラルケアセット１の下方向ＺＢは、電動歯ブラシ１０の下方向ＺＢ１および歯ブラシスタンド１００の下方向ＺＢ２を含む。
【００２５】
電動歯ブラシ１０は、図３に例示される構成を有する。電動歯ブラシ１０は、柱形状を有する。電動歯ブラシ１０は、装置本体部分としての歯ブラシ本体２０、装置機能部分としての歯ブラシアタッチメント８０、および装置突出部分としての装飾リング７０を有する。電動歯ブラシ１０は、互いに独立した部品として形成された歯ブラシ本体２０、歯ブラシアタッチメント８０、および装飾リング７０が互いに結合された構成を有する。電動歯ブラシ１０は、長手方向に平行な軸を有する。電動歯ブラシ１０の軸は、歯ブラシ本体２０の軸により規定される。電動歯ブラシ１０は、歯ブラシアタッチメント８０による歯の清掃時において歯ブラシアタッチメント８０を振動させる。
【００２６】
歯ブラシ本体２０は、図３に例示される構成を有する。歯ブラシ本体２０は、テーパー部分を含む柱形状を有する。歯ブラシ本体２０は、取付部分２１、手持部分２２、上部ケース３０、中間ケース４０、下部ケース５０、および電気部品群６０（図４参照）を有する。歯ブラシ本体２０は、互いに独立した部品として形成された上部ケース３０、中間ケース４０、および下部ケース５０が互いに結合された構成を有する。歯ブラシ本体２０は、上部ケース３０、中間ケース４０、および下部ケース５０の内部に形成される空間に電気部品群６０を有する。歯ブラシ本体２０は、装飾リング７０よりも上方向ＺＡ１側の部分であり、歯ブラシアタッチメント８０を取り付けるための取付部分２１を有する。歯ブラシ本体２０は、中間ケース４０により取付部分２１を形成する。歯ブラシ本体２０は、装飾リング７０よりも下方向ＺＢ１側の部分であり、電動歯ブラシ１０の使用時においてユーザーがグリップするための手持部分２２を有する。歯ブラシ本体２０は、中間ケース４０および下部ケース５０により手持部分２２を形成する。
【００２７】
上部ケース３０は、図４に例示される構成を有する。上部ケース３０は、樹脂材料により形成される。上部ケース３０は、中空の柱形状を有する。上部ケース３０は、中間ケース本体４１の中間上方部分４１Ａに固定される。上部ケース３０は、上部ケース外面３１、上部ケース上面３２、および上部ケース下面３３を有する。上部ケース３０は、上部ケース外面３１により電動歯ブラシ１０の外面の一部分を形成する。上部ケース３０は、長手方向に平行な軸を有する。
【００２８】
上部ケース３０の幅寸法は、電動歯ブラシ１０の正面視において、幅線分と交差する上部ケース外面３１上の２点間の距離を示す。上部ケース３０の幅寸法は、電動歯ブラシ１０の長手方向において異なる。上部ケース３０の幅寸法は、上部ケース上面３２において最も小さい。上部ケース３０の幅寸法は、上部ケース下面３３において最も大きい。上部ケース３０の幅寸法は、電動歯ブラシ１０の長手方向の上方向ＺＡ１側から下方向ＺＢ１側に向かうにつれて大きくなる。
【００２９】
中間ケース４０は、図４に例示される構成を有する。中間ケース４０は、中空の柱形状を有する。中間ケース４０は、中間ケース本体４１、正面パネル４２、電源ランプ４３、電源スイッチ４４、および連結シャフト４５を有する。中間ケース４０は、互いに独立した部品として形成された中間ケース本体４１、正面パネル４２、電源ランプ４３、電源スイッチ４４、および連結シャフト４５が互いに結合された構成を有する。
【００３０】
中間ケース本体４１は、樹脂材料により形成される。中間ケース本体４１は、中空の柱形状を有する。中間ケース本体４１は、中間上方部分４１Ａ、中間固定部分４１Ｂ、中間基礎部分４１Ｃ、中間下方部分４１Ｄ、ケース本体上面４１Ｅ、およびケース本体下面４１Ｆを有する。中間ケース本体４１は、中間上方部分４１Ａ、中間基礎部分４１Ｃ、および中間下方部分４１Ｄが同一の樹脂材料により一体的に形成された構成を有する。中間ケース本体４１は、中間上方部分４１Ａにおいて上部ケース３０の内部空間に挿入される。中間ケース本体４１は、中間基礎部分４１Ｃの外面により電動歯ブラシ１０の外面の一部分を形成する。中間ケース本体４１は、中間下方部分４１Ｄにおいて下部ケース５０の内部空間に挿入される。中間ケース本体４１は、長手方向に平行な軸を有する。中間ケース本体４１の軸は、上部ケース３０の軸と同軸を有する。
【００３１】
中間基礎部分４１Ｃの幅寸法は、電動歯ブラシ１０の正面視において、幅線分と交差する中間基礎部分４１Ｃの外面上の２点間の距離を示す。中間基礎部分４１Ｃの幅寸法は、電動歯ブラシ１０の長手方向において異なる。中間基礎部分４１Ｃの幅寸法は、ケース本体上面４１Ｅにおいて最も大きい。中間基礎部分４１Ｃの幅寸法は、電動歯ブラシ１０の長手方向の位置が電源ランプ４３の位置と同じ部分において最も小さい。中間基礎部分４１Ｃにおいては、ケース本体上面４１Ｅの幅寸法がケース本体下面４１Ｆの幅寸法よりも大きい。中間基礎部分４１Ｃにおける装飾リング７０側の端部（以下、「中間基礎部分４１Ｃの上側端部」）の幅寸法は、電動歯ブラシ１０の長手方向の下方向ＺＢ１側から上方向ＺＡ１側に向かうにつれて大きくなる。
【００３２】
連結シャフト４５は、金属材料により形成される。連結シャフト４５は、柱形状を有する。連結シャフト４５は、電動歯ブラシ１０の長手方向における下方向ＺＢ１側の部分において中間上方部分４１Ａに固定される。連結シャフト４５は、電動歯ブラシ１０の長手方向における上方向ＺＡ１側の部分において中間ケース本体４１から突出する。
【００３３】
下部ケース５０は、図４に例示される構成を有する。下部ケース５０は、樹脂材料により形成される。下部ケース５０は、中空の柱形状を有する。下部ケース５０は、中間ケース本体４１の中間下方部分４１Ｄに取り付けられる。下部ケース５０は、中間下方部分４１Ｄへの取り付け、および中間下方部分４１Ｄからの取り外しが可能な構成を有する。下部ケース５０は、下部嵌合部分５１、下部中間部分５２、下部湾曲部分５３、下部ケース外面５４、および下部ケース上面５５を有する。下部ケース５０は、下部嵌合部分５１、下部中間部分５２、および下部湾曲部分５３が同一の樹脂材料により一体的に形成された構成を有する。下部ケース５０は、下部中間部分５２の内部空間において乾電池（図示略）を収容する。下部ケース５０は、中間下方部分４１Ｄにおいて下部嵌合部分５１に嵌め込まれる。下部ケース５０は、半球状に類似する形状の下部湾曲部分５３を有する。下部ケース５０は、下部ケース外面５４により電動歯ブラシ１０の外面の一分部を形成する。下部ケース５０は、下部ケース上面５５において中間ケース４０のケース本体下面４１Ｆと接触する。下部ケース５０は、長手方向に平行な軸を有する。下部ケース５０の軸は、上部ケース３０の軸および中間ケース本体４１の軸と同軸を有する。下部ケース５０の軸、上部ケース３０の軸、および中間ケース本体４１の軸は、歯ブラシ本体２０の軸を規定する。
【００３４】
下部ケース５０の幅寸法は、電動歯ブラシ１０の正面視において、幅線分と交差する下部ケース外面５４上の２点間の距離を示す。下部ケース５０の幅寸法は、電動歯ブラシ１０の長手方向において異なる。下部ケース５０の幅寸法は、下部ケース上面５５において最も大きい。下部ケース５０の幅寸法は、下部湾曲部分５３の先端部分（以下、「下部ケース先端部分５３Ａ」）において最も小さい。下部ケース５０の幅寸法は、電動歯ブラシ１０の長手方向の上方向ＺＡ１側から下方向ＺＢ１側に向かうにつれて小さくなる。下部ケース５０においては、下部ケース上面５５の幅寸法が中間ケース４０のケース本体下面４１Ｆの幅寸法と等しい。
【００３５】
装飾リング７０は、図４に例示される構成を有する。装飾リング７０は、樹脂材料により形成される。装飾リング７０は、円環形状を有する。装飾リング７０は、中間ケース４０における中間上方部分４１Ａの外面に固定される。装飾リング７０は、リング外面７１、リング上面７２、およびリング下面７３を有する。装飾リング７０においては、リング上面７２およびリング下面７３が平面として形成される。装飾リング７０は、リング外面７１、リング上面７２、およびリング下面７３を塗装する蒸着用塗料を有する。装飾リング７０は、蒸着用塗料により形成された皮膜を有する。装飾リング７０は、リング外面７１、リング上面７２、およびリング下面７３において皮膜により形成される金属光沢を有する。
【００３６】
装飾リング７０は、リング外面７１により電動歯ブラシ１０の外面の一部分を形成する。装飾リング７０は、リング上面７２において上部ケース３０の上部ケース下面３３と接触する。装飾リング７０は、リング下面７３においてケース本体上面４１Ｅのケース本体上面４１Ｅと接触する。
【００３７】
装飾リング７０の幅寸法は、電動歯ブラシ１０の正面視において、幅線分と交差するリング外面７１上の２点間の距離を示す。装飾リング７０の幅寸法は、電動歯ブラシ１０の長手方向において異なる。装飾リング７０の幅寸法は、電動歯ブラシ１０の長手方向の中間部分において最も大きい。装飾リング７０の幅寸法は、リング上面７２およびリング下面７３において最も小さい。装飾リング７０の幅寸法は、装飾リング７０の中間部分からリング上面７２およびリング下面７３にかけて次第に小さくなる。装飾リング７０においては、リング上面７２の幅寸法とリング下面７３の幅寸法とが互いに等しい。装飾リング７０においては、リング上面７２の幅寸法が上部ケース３０の上部ケース下面３３の幅寸法よりも大きい。装飾リング７０においては、リング下面７３の幅寸法がケース本体上面４１Ｅの幅寸法よりも大きい。
【００３８】
歯ブラシアタッチメント８０は、図４に例示される構成を有する。歯ブラシアタッチメント８０は、樹脂材料により形成される。歯ブラシアタッチメント８０は、テーパー部分を含む柱形状を有する。歯ブラシアタッチメント８０は、歯ブラシ本体２０への取り付け、および歯ブラシ本体２０からの取り外しが可能な構成を有する。歯ブラシアタッチメント８０は、ブラシステー８１、オーラルケア部分としてのブラシヘッド８２、ヘッドカバー８３、および複数のブリッスル束８４を有する。歯ブラシアタッチメント８０は、ブラシステー８１およびブラシヘッド８２が同一の樹脂材料により一体的に形成された構成を有する。歯ブラシアタッチメント８０は、互いに独立した部品として形成されたブラシヘッド８２とヘッドカバー８３とが互いに結合された構成を有する。歯ブラシアタッチメント８０は、ステー嵌合部分８１Ａに連結シャフト４５が挿入されることにより、歯ブラシ本体２０に取り付けられる。歯ブラシアタッチメント８０は、ステー嵌合部分８１Ａから連結シャフト４５が引き抜かれることにより、歯ブラシ本体２０から取り外される。歯ブラシアタッチメント８０は、ステー下面８１Ｂにおいて歯ブラシ本体２０の上部ケース上面３２と隙間を介して対向する。
【００３９】
電気部品群６０は、図４に例示される構成を有する。電気部品群６０は、中間ケース４０の内部空間および下部ケース５０の内部空間に配置される。電気部品群６０は、電気モーター６１、回路基板６２、陰極金具６３、陽極金具６４、陰極リード線６５、陽極リード線６６、および電流ヒューズ（図示略）を有する。電気部品群６０は、互いに独立した部品として形成された電気モーター６１、回路基板６２、陰極金具６３、陽極金具６４、陰極リード線６５、陽極リード線６６、および電流ヒューズの集合体として構成される。
【００４０】
電気モーター６１は、中間ケース本体４１に固定される。電気モーター６１は、中間ケース本体４１の中間上方部分４１Ａの内部空間から中間基礎部分４１Ｃの上側端部の内部空間までにまたがり配置される。電気モーター６１は、偏心分銅６１Ａを有する。電気モーター６１は、電源としての乾電池から電力が供給されるとき、偏心分銅６１Ａを回転させることにより歯ブラシアタッチメント８０を振動させる。
【００４１】
回路基板６２は、中間ケース本体４１に固定される。回路基板６２は、中間ケース本体４１の中間基礎部分４１Ｃの内部空間に配置される。回路基板６２は、陰極金具６３および陽極金具６４と電気モーター６１とを互いに接続する。回路基板６２は、出力側の陰極端子を陰極リード線６５により電気モーター６１の陰極端子に接続する。回路基板６２は、出力側の陽極端子を陽極リード線６６により電気モーター６１の陽極端子に接続する。
【００４２】
陰極金具６３は、回路基板６２に固定される。陰極金具６３は、中間ケース本体４１の中間基礎部分４１Ｃの内部空間から中間下方部分４１Ｄの内部空間までにまたがり配置される。陰極金具６３は、一方の端部が回路基板６２の入力側の陰極端子に接続される。陰極金具６３は、他方の端部が下部ケース５０の内部空間において乾電池の陰極と対応する箇所に配置される。
【００４３】
陽極金具６４は、回路基板６２に固定される。陽極金具６４は、中間ケース本体４１の中間基礎部分４１Ｃの内部空間から下部ケース５０の下部湾曲部分５３の内部空間までにまたがり配置される。陽極金具６４は、一方の端部が回路基板６２の入力側の陽極端子に接続される。陽極金具６４は、他方の端部が下部ケース５０の内部空間において乾電池の陽極と対応する箇所に配置される。
【００４４】
電気部品群６０は、陰極金具６３および陽極金具６４の間に乾電池が取り付けられているとき、かつ電源スイッチ４４がオンのとき、閉回路を形成する。電気部品群６０の閉回路は、乾電池の陽極、陽極金具６４、回路基板６２の導電部分、陽極リード線６６、電気モーター６１、陰極リード線６５、回路基板６２の導電部分、陰極金具６３、および乾電池の陰極の順に接続された回路構成を有する。電気部品群６０が閉回路を形成するとき、乾電池の電力により電気モーター６１が回転する。なお、電流ヒューズは、閉回路を流れる電流が定格電流よりも大きいとき、電気部品群６０の閉回路を遮断する。
【００４５】
図５〜図１１を参照して、歯ブラシスタンド１００の構成について説明する。
歯ブラシスタンド１００は、図５に例示される構成を有する。歯ブラシスタンド１００は、樹脂材料により形成される。歯ブラシスタンド１００は、テーパー部分を含む中空の柱形状を有する。歯ブラシスタンド１００は、電動歯ブラシ１０の挿入および抜き出しが可能な構成を有する。歯ブラシスタンド１００は、スタンド本体部分１１０、スタンド支持部分４００、およびスタンド内部空間１０１（図１０参照）を有する。歯ブラシスタンド１００は、互いに独立した部品として形成されたスタンド本体部分１１０およびスタンド支持部分４００が互いに結合された構成を有する。歯ブラシスタンド１００は、長手方向に平行な軸を有する。歯ブラシスタンド１００の軸は、スタンド本体部分１１０の軸、およびスタンド支持部分４００の軸により規定される。
【００４６】
スタンド本体部分１１０は、図６に例示される構成を有する。スタンド本体部分１１０は、樹脂材料により形成される。スタンド本体部分１１０は、テーパー部分を含む円筒形状を有する。スタンド本体部分１１０は、スタンド開口部分２００、スタンド中間部分３００、本体部分外面１１１、本体部分内面１１２（図７参照）、および本体内部空間１１３（図７参照）を有する。スタンド本体部分１１０は、スタンド開口部分２００およびスタンド中間部分３００が同一の樹脂材料により一体的に形成された構成を有する。スタンド本体部分１１０は、歯ブラシスタンド１００の長手方向の上方向ＺＡ２から下方向ＺＢ２に向かうにつれて径方向の内方向側から外方向側に傾斜する本体部分外面１１１を有する。スタンド本体部分１１０は、本体部分内面１１２により本体内部空間１１３を形成する。スタンド本体部分１１０は、本体内部空間１１３によりスタンド内部空間１０１の一部分を形成する。スタンド本体部分１１０は、長手方向に平行な軸を有する。
【００４７】
スタンド開口部分２００は、図７に例示される構成を有する。スタンド開口部分２００は、円筒形状を有する。スタンド開口部分２００は、開口部分外面２０１、開口部分内面２０２、開口部分端面２０３、および開口内部空間２０４を有する。スタンド開口部分２００は、開口部分外面２０１により本体部分外面１１１の一部分を構成する。スタンド開口部分２００は、開口部分内面２０２により本体部分内面１１２の一部分を形成する。スタンド開口部分２００は、開口部分内面２０２により開口内部空間２０４を形成する。スタンド開口部分２００は、円形の開口内部空間２０４を有する。スタンド開口部分２００は、開口内部空間２０４により本体内部空間１１３の一部分を形成する。
【００４８】
スタンド中間部分３００は、図６に例示される構成を有する。スタンド中間部分３００は、テーパー部分を含む円筒形状を有する。スタンド中間部分３００は、中間外壁部分３１０、中間嵌合部分３２０、および中間内部空間３０１を有する。スタンド中間部分３００は、中間外壁部分３１０および中間嵌合部分３２０が同一の樹脂材料により一体的に形成された構成を有する。スタンド中間部分３００は、中間内部空間３０１により本体内部空間１１３の一部分を形成する。
【００４９】
中間外壁部分３１０は、テーパー型の円筒形状を有する。中間外壁部分３１０は、歯ブラシスタンド１００の長手方向においてスタンド開口部分２００の下方向ＺＢ２側に形成される。中間外壁部分３１０は、外壁部分外面３１１、外壁部分内面３１２、本体最大幅部分としての外壁部分端面３１３、および外壁内部空間３１４を有する。中間外壁部分３１０は、外壁部分外面３１１により本体部分外面１１１の一部分を形成する。中間外壁部分３１０は、外壁部分内面３１２により本体部分内面１１２の一部分を形成する。中間外壁部分３１０は、外壁部分内面３１２により外壁内部空間３１４を形成する。
【００５０】
中間嵌合部分３２０は、図８に例示される構成を有する。中間嵌合部分３２０は、外面側において凹凸が形成された環状に類似する形状を有する。中間嵌合部分３２０は、歯ブラシスタンド１００の長手方向において中間外壁部分３１０の下方向ＺＢ２側に形成される。中間嵌合部分３２０は、嵌合環状部分３３０、嵌合規制部分３４０、３個の嵌合連結部分３５０、３個の通気孔３６０、および嵌合内部空間３２１を有する。中間嵌合部分３２０は、嵌合環状部分３３０の環状部分内面３３４および嵌合連結部分３５０の連結部分内面３５２により嵌合内部空間３２１を形成する。中間嵌合部分３２０は、円形の嵌合内部空間３２１を有する。中間嵌合部分３２０は、嵌合内部空間３２１により中間内部空間３０１の一部分を形成する。
【００５１】
中間嵌合部分３２０は、周方向に所定の間隔をおいて３個の嵌合連結部分３５０を有する（図１１（ｂ）参照）。中間嵌合部分３２０は、周方向に隣り合う嵌合連結部分３５０の間に通気孔３６０を有する。中間嵌合部分３２０は、周方向において所定の間隔をおいて３個の通気孔３６０を有する。
【００５２】
嵌合環状部分３３０は、図８に例示される構成を有する。嵌合環状部分３３０は、周方向において連続する円環形状を有する。嵌合環状部分３３０は、歯ブラシスタンド１００の長手方向において嵌合連結部分３５０の下方向ＺＢ２側に形成される。嵌合環状部分３３０は、環状大径部分３３１、環状小径部分３３２、環状部分外面３３３、環状部分内面３３４、および環状部分端面３３５を有する。嵌合環状部分３３０は、環状部分外面３３３により本体部分外面１１１の一部分を形成する。嵌合環状部分３３０は、環状部分内面３３４により本体部分内面１１２の一部分を形成する。嵌合環状部分３３０は、環状部分端面３３５によりスタンド本体部分１１０の底面を形成する。嵌合環状部分３３０は、環状大径部分３３１において環状小径部分３３２よりも外径が大きい。
【００５３】
嵌合規制部分３４０は、図８に例示される構成を有する。嵌合規制部分３４０は、嵌合環状部分３３０の環状部分外面３３３から径方向の外方向側に突出する。嵌合規制部分３４０は、歯ブラシスタンド１００の長手方向の上方向ＺＡ２側から下方向ＺＢ２側に向かうにつれて嵌合環状部分３３０からの突出量が大きくなる。嵌合規制部分３４０は、規制部分外面３４１、規制部分端面３４２、および規制部分側面３４３を有する。嵌合規制部分３４０は、規制部分外面３４１および規制部分側面３４３により本体部分外面１１１の一部分を形成する。嵌合規制部分３４０は、嵌合環状部分３３０の環状部分端面３３５と同一の平面上に規制部分端面３４２を有する。
【００５４】
嵌合連結部分３５０は、図８に例示される構成を有する。嵌合連結部分３５０は、歯ブラシスタンド１００の軸まわりにおいて円弧形状を有する。嵌合連結部分３５０は、歯ブラシスタンド１００の長手方向において中間外壁部分３１０の下方向ＺＢ側に形成される。嵌合連結部分３５０は、連結部分外面３５１、連結部分内面３５２、連結部分端面３５３、および連結部分側面３５４を有する。嵌合連結部分３５０は、連結部分外面３５１、連結部分端面３５３、および連結部分側面３５４により本体部分外面１１１の一部分を形成する。嵌合連結部分３５０は、連結部分内面３５２により本体部分内面１１２の一部分を構成する。
【００５５】
連結部分外面３５１は、歯ブラシスタンド１００の長手方向の上方向ＺＡ２側から下方向ＺＢ２側に向かうにつれて径方向の内方向側から外方向側に向けて傾斜する。連結部分外面３５１は、上方向ＺＡ２側の縁が外壁部分端面３１３よりも径方向の内方向側に形成される。連結部分外面３５１は、下方向ＺＢ２側の縁が外壁部分端面３１３よりも径方向の外方向側に形成される。なお、連結部分外面３５１の縁および外壁部分端面３１３における径方向の位置に関する上記の説明は、周方向において互いに同じ位置に形成される部分同士の間において成立する関係を示している。
【００５６】
通気孔３６０は、本体内部空間１１３としての嵌合内部空間３２１とスタンド本体部分１１０の外部とを互いに連通する。通気孔３６０は、歯ブラシスタンド１００の長手方向において電動歯ブラシ１０のブラシヘッド８２に対向する位置に形成される（図１２参照）。通気孔３６０は、中間外壁部分３１０、２個の嵌合連結部分３５０、および嵌合環状部分３３０に囲まれて形成される。
【００５７】
スタンド支持部分４００は、図９に例示される構成を有する。スタンド支持部分４００は、樹脂材料により形成される。スタンド支持部分４００は、テーパー部分を含み、かつ一方の開口部分が閉塞された円筒形状を有する。スタンド支持部分４００は、支持底壁部分４１０、支持周壁部分４２０、３個の支持突起部分４３０、支持部分外面４０１、支持部分内面４０２、および支持内部空間４０３を有する。スタンド支持部分４００は、支持底壁部分４１０、支持周壁部分４２０、および支持突起部分４３０が同一の樹脂材料により一体的に形成された構成を有する。スタンド支持部分４００は、歯ブラシスタンド１００の長手方向の上方向ＺＡ２側から下方向ＺＢ２側に向かうにつれて径方向の内方向側から外方向側に向けて傾斜する支持部分外面４０１を有する。スタンド支持部分４００は、支持部分内面４０２により支持内部空間４０３を形成する。スタンド支持部分４００は、支持内部空間４０３によりスタンド内部空間１０１の一部分を形成する。スタンド支持部分４００は、長手方向に沿う軸を有する。スタンド支持部分４００の軸は、スタンド本体部分１１０の軸と同軸を有する。スタンド支持部分４００の軸、およびスタンド本体部分１１０の軸は、歯ブラシスタンド１００の軸を規定する。
【００５８】
支持底壁部分４１０は、図９に例示される構成を有する。支持底壁部分４１０は、スタンド支持部分４００における下方部分を形成する。支持底壁部分４１０は、中実構造を有する。支持底壁部分４１０は、底壁部分外面４１１、底壁部分主面４１２、および支持最大幅部分としての底壁部分底面４１３を有する。支持底壁部分４１０は、底壁部分外面４１１により支持部分外面４０１の一部分を形成する。支持底壁部分４１０は、底壁部分主面４１２により支持部分内面４０２の一部分を形成する。支持底壁部分４１０は、円形の底壁部分底面４１３を有する。支持底壁部分４１０は、底壁部分底面４１３において歯ブラシスタンド１００の設置面と接触する。
【００５９】
底壁部分主面４１２は、図９（ｃ）に例示される構成を有する。底壁部分主面４１２は、平面形状を有する。底壁部分主面４１２は、歯ブラシスタンド１００の軸に交差する。底壁部分主面４１２は、歯ブラシスタンド１００の幅方向において前方向ＸＡ２側の縁から後方向ＸＢ２側の縁に向かうにつれて、歯ブラシスタンド１００の長手方向において上方向ＺＡ２側から下方向ＺＢ２側に向けて傾斜する。底壁部分主面４１２は、幅方向の後方向ＸＢ２側の縁において排水路４４０の溝底面４４１に連続する。
【００６０】
支持周壁部分４２０は、図９に例示される構成を有する。支持周壁部分４２０は、テーパー型かつ周方向の一部分が切り欠かれた円筒形状を有する。支持周壁部分４２０は、周壁部分外面４２１、周壁部分内面４２２、周壁部分端面４２３、および排水路４４０を有する。支持周壁部分４２０は、周壁部分外面４２１により支持部分外面４０１の一部分を形成する。支持周壁部分４２０は、周壁部分内面４２２により支持部分内面４０２の一部分を形成する。支持周壁部分４２０は、排水路４４０が形成されることにより周方向において不連続な形状を有する。
【００６１】
支持突起部分４３０は、図９に例示される構成を有する。支持突起部分４３０は、周壁部分内面４２２から径方向の内方向側に突出する。３個の支持突起部分４３０は、周方向において等間隔に形成される。支持突起部分４３０は、中間嵌合部分３２０の環状大径部分３３１に引き掛けることが可能な形状を有する。
【００６２】
排水路４４０は、図９に例示される構成を有する。排水路４４０は、支持周壁部分４２０の背面側の箇所に形成される。排水路４４０は、支持内部空間４０３とスタンド支持部分４００の外部とを互いに連通する。排水路４４０は、溝底面４４１および溝側面４４２を有する。
【００６３】
溝底面４４１は、歯ブラシスタンド１００の幅方向において前方向ＸＡ２側の縁から後方向ＸＢ２側の縁に向かうにつれて、歯ブラシスタンド１００の長手方向において上方向ＺＡ２側から下方向ＺＢ２側に向けて傾斜する。溝底面４４１は、底壁部分主面４１２と同一の平面上に形成される。
【００６４】
図１０および図１１を参照して、スタンド本体部分１１０およびスタンド支持部分４００の関係について説明する。なお、図１０（ａ）は、図１１のＤ１１Ａ−Ｄ１１Ａ線に沿う歯ブラシスタンド１００の断面構造を示す。また、図１０（ｂ）は、図１１のＤ１１Ｂ−Ｄ１１Ｂ線に沿う歯ブラシスタンド１００の断面構造を示す。また、図１０（ｃ）は、図１１のＤ１１Ｃ−Ｄ１１Ｃ線に沿う歯ブラシスタンド１００の断面構造を示す。
【００６５】
歯ブラシスタンド１００は、中間嵌合部分３２０がスタンド支持部分４００に嵌め込まれることにより形成される。歯ブラシスタンド１００は、支持突起部分４３０を環状小径部分３３２に引き掛けることにより（図１１（ｂ）参照）、スタンド本体部分１１０およびスタンド支持部分４００を互いに結合させる。
【００６６】
嵌合環状部分３３０は、スタンド支持部分４００の支持内部空間４０３に配置される。嵌合環状部分３３０は、環状大径部分３３１の環状部分外面３３３において周壁部分内面４２２と接触する。嵌合環状部分３３０は、環状部分端面３３５において底壁部分主面４１２と隙間を介して対向する。
【００６７】
嵌合規制部分３４０は、スタンド支持部分４００の排水路４４０に嵌め込まれる。嵌合規制部分３４０は、規制部分側面３４３において溝側面４４２に接触する。嵌合規制部分３４０は、規制部分端面３４２においてスタンド支持部分４００の底壁部分主面４１２と隙間を介して対向する（図１０（ｃ）参照）。
【００６８】
嵌合連結部分３５０は、スタンド支持部分４００の支持内部空間４０３の外部に配置される。嵌合連結部分３５０は、連結部分端面３５３において周壁部分端面４２３と接触する。嵌合連結部分３５０は、３個の通気孔３６０のそれぞれによりスタンド内部空間１０１と外部とを互いに連通する。
【００６９】
図６を参照して、スタンド本体部分１１０の幅寸法について説明する。
スタンド本体部分１１０の幅寸法は、歯ブラシスタンド１００の正面視において、幅線分と交差する本体部分外面１１１上の２点間の距離を示す。スタンド本体部分１１０の幅寸法は、スタンド開口部分２００の幅寸法およびスタンド中間部分３００の幅寸法により規定される。
【００７０】
スタンド開口部分２００の幅寸法は、歯ブラシスタンド１００の正面視において、幅線分と交差する開口部分外面２０１上の２点間の距離を示す。スタンド開口部分２００の幅寸法は、歯ブラシスタンド１００の長手方向の全体にわたり一定の大きさを有する。
【００７１】
スタンド中間部分３００の幅寸法は、歯ブラシスタンド１００の正面視において、幅線分と交差するスタンド中間部分３００の外面上の２点間の距離を示す。スタンド中間部分３００の幅寸法は、中間外壁部分３１０の幅寸法および中間嵌合部分３２０の幅寸法により規定される。なお、中間嵌合部分３２０のうちの嵌合環状部分３３０および嵌合規制部分３４０については、スタンド支持部分４００に嵌め込まれることにより歯ブラシスタンド１００の正面視において視認されない。このため、中間外壁部分３１０の幅寸法および嵌合連結部分３５０の幅寸法により規定される幅寸法を中間嵌合部分３２０の幅寸法として取り扱う。
【００７２】
中間外壁部分３１０の幅寸法は、歯ブラシスタンド１００の正面視において、幅線分と交差する外壁部分外面３１１上の２点間の距離を示す。中間外壁部分３１０の幅寸法は、歯ブラシスタンド１００の長手方向において異なる。中間外壁部分３１０の幅寸法は、中間外壁部分３１０のうちのスタンド開口部分２００と連続する部分において最も小さい。中間外壁部分３１０の幅寸法は、外壁部分端面３１３において最も大きい。中間外壁部分３１０の幅寸法は、スタンド開口部分２００と連続する部分から外壁部分端面３１３に向かうにつれて次第に大きくなる。中間外壁部分３１０においては、スタンド開口部分２００と連続する部分の幅寸法がスタンド開口部分２００の幅寸法と等しい。なお、中間外壁部分３１０の幅寸法は、中間外壁部分３１０の外径と記述することもできる。
【００７３】
嵌合連結部分３５０の幅寸法は、歯ブラシスタンド１００の正面視において、幅線分と交差する連結部分外面３５１上の２点間の距離を示す。嵌合連結部分３５０の幅寸法は、歯ブラシスタンド１００の長手方向において異なる。嵌合連結部分３５０の幅寸法は、嵌合連結部分３５０のうちの外壁部分端面３１３との接続部分において最も小さい。嵌合連結部分３５０の幅寸法は、連結部分端面３５３において最も大きい。嵌合連結部分３５０の幅寸法は、外壁部分端面３１３との接続部分から連結部分端面３５３に向かうにつれて次第に大きくなる。嵌合連結部分３５０においては、外壁部分端面３１３との接続部分の幅寸法が外壁部分端面３１３の幅寸法よりも小さい。嵌合連結部分３５０においては、連結部分端面３５３の幅寸法が外壁部分端面３１３の幅寸法よりも大きい。
【００７４】
スタンド本体部分１１０全体としての幅寸法は、スタンド開口部分２００の幅寸法およびスタンド中間部分３００の幅寸法の関係により、次のとおり記述することができる。スタンド本体部分１１０の幅寸法は、スタンド本体部分１１０の長手方向において異なる。スタンド本体部分１１０の幅寸法は、開口部分端面２０３において最も小さい。スタンド本体部分１１０の幅寸法は、外壁部分端面３１３において最も大きい。スタンド本体部分１１０の幅寸法は、長手方向において開口部分端面２０３から外壁部分端面３１３に向かうにつれて次第に大きくなる。スタンド本体部分１１０の幅寸法は、外壁部分端面３１３と嵌合連結部分３５０との接続部分において外壁部分端面３１３の幅寸法よりも小さくなる。スタンド本体部分１１０の幅寸法は、長手方向において同接続部分から連結部分端面３５３に向かうにつれて次第に大きくなる。
【００７５】
図５を参照して、スタンド支持部分４００の幅寸法について説明する。
スタンド支持部分４００の幅寸法は、歯ブラシスタンド１００の正面視において、幅線分と交差する支持部分外面４０１上の２点間の距離を示す。スタンド支持部分４００の幅寸法は、歯ブラシスタンド１００の長手方向において異なる。スタンド支持部分４００の幅寸法は、周壁部分端面４２３において最も小さい。スタンド支持部分４００の幅寸法は、スタンド支持部分４００の底面である底壁部分底面４１３において最も大きい。スタンド支持部分４００の幅寸法は、周壁部分端面４２３から底壁部分底面４１３に向かうにつれて次第に大きくなる。スタンド支持部分４００においては、周壁部分端面４２３の幅寸法が外壁部分端面３１３の幅寸法および連結部分端面３５３の幅寸法よりも大きい。なお、スタンド支持部分４００の幅寸法は、スタンド支持部分４００の外径と記述することもできる。
【００７６】
図５を参照して、歯ブラシスタンド１００の幅寸法について説明する。
歯ブラシスタンド１００全体としての幅寸法は、スタンド本体部分１１０の幅寸法およびスタンド支持部分４００の幅寸法の関係により、次のとおり記述することができる。歯ブラシスタンド１００の幅寸法は、歯ブラシスタンド１００の長手方向において異なる。歯ブラシスタンド１００の幅寸法は、開口部分端面２０３において最も小さい。歯ブラシスタンド１００の幅寸法は、底壁部分底面４１３において最も大きい。歯ブラシスタンド１００の幅寸法は、長手方向において開口部分端面２０３から外壁部分端面３１３に向かうにつれて次第に大きくなる。歯ブラシスタンド１００の幅寸法は、外壁部分端面３１３と嵌合連結部分３５０との接続部分において、外壁部分端面３１３の幅寸法よりも小さくなる。歯ブラシスタンド１００の幅寸法は、長手方向において同接続部分から連結部分端面３５３に向かうにつれて次第に大きくなる。歯ブラシスタンド１００の幅寸法は、連結部分端面３５３において周壁部分端面４２３よりも小さい。歯ブラシスタンド１００の幅寸法は、長手方向において周壁部分端面４２３から底壁部分底面４１３に向かうにつれて次第に大きくなる。歯ブラシスタンド１００の幅寸法は、嵌合連結部分３５０の幅寸法を除いた場合、長手方向において開口部分端面２０３から底壁部分底面４１３に向かうにつれて次第に大きくなる。
【００７７】
図１２〜図１５を参照して、電動歯ブラシ１０および歯ブラシスタンド１００の結合状態について説明する。なお、図１２は、第１ブラシ保持状態のうちの歯ブラシスタンド１００の正面および電動歯ブラシ１０の正面が一致した状態、かつ歯ブラシスタンド１００がＹＺ平面において破断した状態を示す。また、図１３は、第１ブラシ保持状態のうちの歯ブラシスタンド１００の正面および電動歯ブラシ１０の正面が一致した状態、かつ歯ブラシスタンド１００がＺＸ平面において破断した状態を示す。また、図１４は、第２ブラシ保持状態のうちの歯ブラシスタンド１００の正面および電動歯ブラシ１０の正面が一致した状態、かつ歯ブラシスタンド１００がＹＺ平面において破断した状態を示す。また、図１５は、第２ブラシ保持状態のうちの歯ブラシスタンド１００の正面および電動歯ブラシ１０の正面が一致した状態、かつ歯ブラシスタンド１００がＺＸ平面において破断した状態を示す。
【００７８】
オーラルケアセット１は、電動歯ブラシ１０がブラシ先端部分８０Ａ側から歯ブラシスタンド１００に挿入されることにより、図１２および図１３に例示される第１ブラシ保持状態を形成する。オーラルケアセット１は、第１ブラシ保持状態において、電動歯ブラシ１０の下方向ＺＢ１と歯ブラシスタンド１００の上方向ＺＡ２とを互いに一致させる。オーラルケアセット１は、第１ブラシ保持状態において、電動歯ブラシ１０の軸と歯ブラシスタンド１００の軸とを同軸上に有する。オーラルケアセット１は、第１ブラシ保持状態において、電動歯ブラシ１０の軸まわりで電動歯ブラシ１０が歯ブラシスタンド１００に対して回転することを許容する。オーラルケアセット１は、第１ブラシ保持状態において、リング上面７２と開口部分端面２０３とを互いに接触させる。オーラルケアセット１は、第１ブラシ保持状態において、ブラシ先端部分８０Ａと底壁部分主面４１２との間に空間を形成する。オーラルケアセット１は、第１ブラシ保持状態において、上部ケース外面３１と本体部分内面１１２との間に空間を形成する。オーラルケアセット１は、第１ブラシ保持状態において、歯ブラシアタッチメント８０の外面と本体部分内面１１２との間に空間を形成する。オーラルケアセット１は、第１ブラシ保持状態において、ブラシヘッド８２の周囲に３個の通気孔３６０を有する。
【００７９】
オーラルケアセット１は、第１ブラシ保持状態において、歯ブラシアタッチメント８０のうちの通気孔３６０に対向する部分を除いて、スタンド中間部分３００により歯ブラシアタッチメント８０を覆う（図１参照）。オーラルケアセット１は、第１ブラシ保持状態において、歯ブラシスタンド１００、装飾リング７０、および手持部分２２により外観を形成する。
【００８０】
オーラルケアセット１は、電動歯ブラシ１０が下部ケース先端部分５３Ａ側から歯ブラシスタンド１００に挿入されることにより、図１４および図１５に例示される第２ブラシ保持状態を形成する。オーラルケアセット１は、第２ブラシ保持状態において、電動歯ブラシ１０の上方向ＺＡ１と歯ブラシスタンド１００の上方向ＺＡ２とが互いに平行または一致する状態、および一致しない状態の双方を許容する。オーラルケアセット１は、第２ブラシ保持状態において、下部ケース先端部分５３Ａと底壁部分主面４１２とを互いに接触させる。オーラルケアセット１は、第２ブラシ保持状態において、中間ケース４０の電源ランプ４３を歯ブラシスタンド１００の外部に露出させる。オーラルケアセット１は、第２ブラシ保持状態において、電動歯ブラシ１０の軸および歯ブラシスタンド１００の軸が同軸上に位置するとき、歯ブラシ本体２０の外面と本体部分内面１１２との間に空間を形成する。
【００８１】
電動歯ブラシ１０は、歯ブラシスタンド１００に対する姿勢（以下、「ブラシ相対姿勢」）として、ブラシ基準姿勢およびブラシ傾斜姿勢を取り得る。ブラシ基準姿勢は、電動歯ブラシ１０の軸が歯ブラシスタンド１００の軸に平行または一致する姿勢を示す。ブラシ傾斜姿勢は、電動歯ブラシ１０の軸が歯ブラシスタンド１００の軸に対して傾斜する姿勢を示す。ブラシ傾斜姿勢においては、電動歯ブラシ１０の上方向ＺＡ１と歯ブラシスタンド１００の上方向ＺＡ２とが一致しない。
【００８２】
オーラルケアセット１は、第１ブラシ保持状態において、リング上面７２と開口部分端面２０３とが互いに接触することにより、電動歯ブラシ１０をブラシ基準姿勢に保持する。オーラルケアセット１は、第２ブラシ保持状態において、歯ブラシ本体２０の外面と本体部分内面１１２とが互いに接触することにより、電動歯ブラシ１０をブラシ傾斜姿勢に保持する。
【００８３】
本実施形態のオーラルケアセット１は、以下の効果を奏する。
（１）歯ブラシスタンド１００は、歯ブラシスタンド１００の長手方向において歯ブラシアタッチメント８０が歯ブラシ本体２０よりも下方向ＺＢ２側に位置する状態において、電動歯ブラシ１０を保持することが可能な構成を有する。この構成によれば、歯ブラシスタンド１００が電動歯ブラシ１０を保持しているとき、歯ブラシアタッチメント８０の水分が歯ブラシスタンド１００の下方向ＺＢ２に移動する。このため、歯ブラシアタッチメント８０の水分が歯ブラシ本体２０に付着しにくい。すなわち、オーラルケアセット１は、歯ブラシアタッチメント８０に付着した水分が歯ブラシ本体２０に付着しにくい状態において電動歯ブラシ１０を保持することができる。
【００８４】
（２）歯ブラシスタンド１００は、電動歯ブラシ１０の長手方向の軸が歯ブラシスタンド１００の長手方向の軸と平行または一致する状態において電動歯ブラシ１０の姿勢を保持することが可能な構成を有する。この構成によれば、電動歯ブラシ１０の長手方向の軸が歯ブラシスタンド１００の長手方向の軸に対して傾斜する状態において電動歯ブラシ１０の姿勢を保持すると仮定した構成（以下、「第１仮想セット」）と比較して、次の効果を有する。第１仮想セットは、電動歯ブラシ１０が歯ブラシスタンド１００に対して傾斜するため、幅寸法が大きくなる。一方、本実施形態のオーラルケアセット１は、電動歯ブラシ１０の軸および歯ブラシスタンド１００の軸が平行または一致するため、第１仮想セットよりも幅寸法を小さくすることができる。また、第１ブラシ保持状態においては、電動歯ブラシ１０が歯ブラシスタンド１００の設置面に対して直立する。このため、歯ブラシスタンド１００により電動歯ブラシ１０が保持されているときのオーラルケアセット１の美観が向上する。
【００８５】
なお、電動歯ブラシ１０は、第１ブラシ保持状態において、中間ケース４０とスタンド本体部分１１０との間に形成される微小なクリアランスの範囲内において歯ブラシスタンド１００に対して幅方向に移動することが許容される。このため、歯ブラシスタンド１００の軸および電動歯ブラシ１０の軸の関係は、互いに一致する関係、および互いに平行する関係を含む。オーラルケアセット１は、第１ブラシ保持状態において各軸が平行する状態のとき、歯ブラシスタンド１００に対する電動歯ブラシ１０の幅方向の位置がいずれの位置の場合においても、各軸が一致する状態における外観と実質的に相違しない外観を形成する。
【００８６】
（３）歯ブラシスタンド１００は、スタンド本体部分１１０およびスタンド支持部分４００を有する。スタンド本体部分１１０は、スタンド開口部分２００を有する。スタンド開口部分２００は、歯ブラシアタッチメント８０が挿入される開口内部空間２０４を有する。スタンド支持部分４００は、歯ブラシスタンド１００の長手方向においてスタンド本体部分１１０の下方向ＺＢ２側に形成されてスタンド本体部分１１０を支持する。この構成によれば、スタンド支持部分４００が存在しないと仮定した構成と比較して、歯ブラシスタンド１００と設置面との接触面積が大きくなる。このため、電動歯ブラシ１０が歯ブラシスタンド１００に挿入されるとき、および電動歯ブラシ１０が歯ブラシスタンド１００から抜き出されるとき、電動歯ブラシ１０が歯ブラシスタンド１００に接触しても歯ブラシスタンド１００が傾きにくい。このため、オーラルケアセット１の使用時における歯ブラシスタンド１００の傾きおよび転倒が生じにくい。
【００８７】
（４）電動歯ブラシ１０は、装飾リング７０を有する。装飾リング７０は、歯ブラシアタッチメント８０よりも幅方向の外方向側に突き出た形状を有する。スタンド開口部分２００は、歯ブラシスタンド１００の長手方向の上端部において開口部分端面２０３を有する。歯ブラシスタンド１００は、開口部分端面２０３において装飾リング７０と接触することにより電動歯ブラシ１０の姿勢を保持する。すなわち、電動歯ブラシ１０において歯ブラシスタンド１００により支持される部分として、装飾リング７０が選択されている。この構成によれば、歯ブラシスタンド１００により支持される部分が歯ブラシ本体２０に形成されると仮定した構成と比較して、歯ブラシ本体２０の形状の設計に関する制約が少なくなる。このため、上記仮定した構成と比較して、ユーザーがグリップしやすい形状の歯ブラシ本体２０を形成することが可能になる。
【００８８】
（５）歯ブラシスタンド１００は、スタンド本体部分１１０に電動歯ブラシ１０の歯ブラシ本体２０を挿入することが可能な構成を有する。この構成によれば、歯ブラシアタッチメント８０が歯ブラシスタンド１００の外部に位置する状態において、電動歯ブラシ１０を保持することができる。すなわち、歯ブラシスタンド１００は、第１ブラシ保持状態および第２ブラシ保持状態の双方により電動歯ブラシ１０を保持することができる。このため、ユーザーは、オーラルケアセット１の使用時において、第１ブラシ保持状態および第２ブラシ保持状態の双方を選択することができる。このため、第２ブラシ保持状態を選択することができないと仮定した構成と比較して、ユーザーの使い勝手が向上する。
【００８９】
（６）歯ブラシスタンド１００は、第１ブラシ保持状態において電動歯ブラシ１０を保持しているとき、ブラシ先端部分８０Ａと底壁部分主面４１２との間に空間を形成する。この構成によれば、第１ブラシ保持状態においてブラシ先端部分８０Ａが底壁部分主面４１２と接触すると仮定した構成と比較して、底壁部分主面４１２上の水分がブラシヘッド８２に付着しにくい。このため、電動歯ブラシ１０をより清潔な状態に保つことが可能になる。
【００９０】
（７）歯ブラシスタンド１００は、スタンド本体部分１１０およびスタンド支持部分４００を有する。スタンド支持部分４００は、歯ブラシスタンド１００の長手方向においてスタンド本体部分１１０の下方向ＺＢ２側に形成され、スタンド本体部分１１０を支持する。スタンド支持部分４００は、スタンド本体部分１１０よりも幅寸法が大きい。この構成によれば、スタンド支持部分４００がスタンド本体部分１１０よりも細いと仮定した構成（以下、「第２仮想セット」）と比較して、次の効果を奏する。第２仮想セットは、スタンド支持部分４００がスタンド本体部分１１０よりも細いため、歯ブラシスタンド１００と設置面との接触面積が十分に確保されないおそれがある。このため、電動歯ブラシ１０が歯ブラシスタンド１００に挿入されるとき、および電動歯ブラシ１０が歯ブラシスタンド１００から抜き出されるとき、歯ブラシスタンド１００に対する電動歯ブラシ１０の接触により歯ブラシスタンド１００が傾くおそれが高い。一方、オーラルケアセット１は、スタンド支持部分４００の幅寸法がスタンド本体部分１１０の幅寸法よりも大きいため、第２仮想セットと比較して、オーラルケアセット１の使用時において歯ブラシスタンド１００が傾きおよび転倒が生じにくい。
【００９１】
（８）スタンド本体部分１１０は、スタンド開口部分２００およびスタンド中間部分３００を有する。スタンド中間部分３００は、歯ブラシスタンド１００の長手方向においてスタンド開口部分２００とスタンド支持部分４００との間に形成され、歯ブラシアタッチメント８０を覆う形状を有する。この構成によれば、第１ブラシ保持状態において電動歯ブラシ１０を保持しているとき、歯ブラシアタッチメント８０のうちの通気孔３６０に対向する部分を除く部分がスタンド中間部分３００により覆われる。このため、オーラルケアセット１の外観においてブラシヘッド８２の大部分が視認されないため、オーラルケアセット１の美観が向上する。また、ブラシヘッド８２に埃等の異物が付着しにくくなる。
【００９２】
（９）スタンド中間部分３００は、中間内部空間３０１および通気孔３６０を有する。中間内部空間３０１は、開口内部空間２０４と連続して形成される。通気孔３６０は、中間内部空間３０１を外部に連通する。この構成によれば、通気孔３６０を介して外部の空気がスタンド内部空間１０１に流れ込むため、通気孔３６０が形成されていないと仮定した構成と比較して、歯ブラシアタッチメント８０が乾燥しやすくなる。
【００９３】
（１０）歯ブラシスタンド１００は、スタンド本体部分１１０とスタンド支持部分４００とを互いに組み合わせること、およびスタンド本体部分１１０とスタンド支持部分４００とを互いに分離することが可能な構成を有する。この構成によれば、スタンド本体部分１１０およびスタンド支持部分４００を互いに分離した状態においてそれぞれの部品を清掃することが可能になる。このため、歯ブラシスタンド１００の内部の清掃を容易に行うことができる。
【００９４】
（１１）スタンド支持部分４００は、歯ブラシスタンド１００の長手方向において歯ブラシアタッチメント８０と対向する支持底壁部分４１０を有する。この構成によれば、重力により電動歯ブラシ１０から滴下する水分が支持底壁部分４１０の底壁部分主面４１２により受けられる。このため、スタンド支持部分４００に支持底壁部分４１０が形成されていないと仮定した構成と比較して、歯ブラシスタンド１００の設置面に付着する水分の量が少なくなる。
【００９５】
（１２）スタンド支持部分４００は、支持周壁部分４２０に排水路４４０を有する。この構成によれば、底壁部分主面４１２上の水分が排水路４４０を介してスタンド支持部分４００の外部に流れる。このため、底壁部分主面４１２上に多量の水分が溜まることが抑制される。
【００９６】
（１３）支持底壁部分４１０は、歯ブラシアタッチメント８０と対向する底壁部分主面４１２を有する。底壁部分主面４１２は、歯ブラシスタンド１００の幅方向においてスタンド支持部分４００の軸から離れるにつれて、歯ブラシスタンド１００の長手方向の上方向ＺＡ２側から下方向ＺＢ２側に向けて傾斜する。この構成によれば、底壁部分主面４１２の水分が排水路４４０に向けて流れるため、底壁部分主面４１２上に多量の水分が溜まることを抑制する効果が高くなる。
【００９７】
（１４）スタンド中間部分３００の幅寸法は、本体最大幅部分としての外壁部分端面３１３において最も大きい。スタンド支持部分４００の幅寸法は、支持最大幅部分としての底壁部分底面４１３において最も大きい。底壁部分底面４１３の幅寸法は、外壁部分端面３１３の幅寸法よりも大きい。この構成によれば、スタンド中間部分３００の幅寸法が底壁部分底面４１３の幅寸法よりも大きいと仮定した構成と比較して、歯ブラシスタンド１００の設置面と底壁部分底面４１３との接触面積が大きくなる。このため、オーラルケアセット１の使用時において歯ブラシスタンド１００の傾きおよび転倒が生じにくくなる。
【００９８】
（１５）底壁部分底面４１３の幅寸法は、外壁部分端面３１３の幅寸法の１．５倍以上の大きさを有する。本願発明者は、この幅寸法の関係を選択することにより、この幅寸法の関係とは別の関係を選択した構成と比較して、オーラルケアセット１の使用時において歯ブラシスタンド１００が傾きにくくなることを確認した。このため、オーラルケアセット１の使用時における歯ブラシスタンド１００の傾きおよび転倒が生じにくい。
【００９９】
（１６）歯ブラシスタンド１００の幅寸法は、長手方向において開口部分端面２０３から外壁部分端面３１３に向かうにつれて次第に大きくなる。歯ブラシスタンド１００の幅寸法は、長手方向において周壁部分端面４２３から底壁部分底面４１３に向かうにつれて次第に大きくなる。歯ブラシスタンド１００の幅寸法は、嵌合連結部分３５０を除いて長手方向の変化を記述した場合、開口部分端面２０３から底壁部分底面４１３に向かうにつれて次第に大きくなる。この構成によれば、歯ブラシスタンド１００が長手方向の上方向ＺＡ２側に向かうにつれて幅寸法が小さくなる先細りの形状を有するため、オーラルケアセット１の使用時における歯ブラシスタンド１００が傾きおよび転倒が生じにくい。また、オーラルケアセット１が長手方向の上方向ＺＡ側に向かうにつれて先細りの形状を有することにより、第１ブラシ保持状態におけるオーラルケアセット１の美観が向上する。
【０１００】
（１７）スタンド支持部分４００は、中実構造の支持底壁部分４１０を有する。この構成によれば、歯ブラシスタンド１００の長手方向において下方向ＺＢ２側の部分の重量が相対的に大きくなるため、オーラルケアセット１の使用時における歯ブラシスタンド１００の傾きおよび転倒が生じにくい。
【０１０１】
（１８）スタンド支持部分４００は、底壁部分底面４１３から底壁部分主面４１２までの距離により規定されるスタンド支持部分４００の厚みが、スタンド本体部分１１０の中間外壁部分３１０の厚みよりも大きい。この構成によれば、スタンド支持部分４００の厚みが中間外壁部分３１０の厚みよりも小さいと仮定した構成と比較して、スタンド支持部分４００の重量が大きくなる。このため、オーラルケアセット１の使用時における歯ブラシスタンド１００の傾きおよび転倒を抑制する効果が高くなる。
【０１０２】
（第２実施形態）
第２実施形態のオーラルケアセット２は、第１実施形態のオーラルケアセット１と比較して次の部分において異なる構成を有し、その他の部分において同一の構成を有する。なお、第１実施形態のオーラルケアセット１と共通する構成については同一の符号を付して、その説明の一部または全部を省略する。
【０１０３】
第１実施形態のオーラルケアセット１は、１本の電動歯ブラシ１０に適合する形状の歯ブラシスタンド１００を１個有する（図１参照）。一方、第２実施形態のオーラルケアセット２は、１本の電動歯ブラシ１０に適合する形状の歯ブラシスタンド１００を複数個有する。
【０１０４】
オーラルケアセット２は、図１６に例示される構成を有する。オーラルケアセット２は、２個の歯ブラシスタンド１００、およびスタンドテーブル５００を有する。オーラルケアセット２においては、互いに独立して形成された歯ブラシスタンド１００のスタンド支持部分４００およびスタンドテーブル５００が互いに結合された構成を有する。
【０１０５】
本実施形態のオーラルケアセット２は、第１実施形態のオーラルケアセット１が奏する（１）〜（１８）の効果と同様の効果を奏する。すなわち、オーラルケアセット２は、歯ブラシアタッチメント８０に付着した水分が歯ブラシ本体２０に付着しにくい状態において、電動歯ブラシ１０を保持することができる旨の効果、およびその他の種々の効果を奏する。
【０１０６】
（その他の実施形態）
本発明は、第１および第２実施形態以外の実施形態を含む。以下、本発明のその他の実施形態としての第１および第２実施形態の変形例を示す。なお、以下の各変形例は、互いに組み合わせることもできる。
【０１０７】
・第１および第２実施形態の歯ブラシスタンド１００は、スタンド中間部分３００によりブラシヘッド８２の周囲を覆う構成を有する。ただし、ブラシヘッド８２を覆うための構成は、実施形態に例示される構成に限られない。例えば、変形例の歯ブラシスタンド１００は、スタンド支持部分４００によりブラシヘッド８２の周囲を覆う構成を有する。この変形例のスタンド支持部分４００は、ブラシヘッド８２の周囲に位置する周壁延長部分を有する。周壁延長部分は、支持周壁部分４２０が歯ブラシスタンド１００の長手方向の上方向ＺＡ２側に向けて延長されることにより形成される。この変形例のスタンド中間部分３００は、支持周壁部分４２０の延長部分に対応する部分が省略された構成を有する。
【０１０８】
・第１および第２実施形態の歯ブラシスタンド１００は、スタンド開口部分２００およびスタンド中間部分３００が一体的に形成されたスタンド本体部分１１０を有する。ただし、スタンド開口部分２００およびスタンド中間部分３００の構成は、実施形態に例示される構成に限られない。例えば、変形例の歯ブラシスタンド１００は、互いに独立した部品として形成されたスタンド開口部分２００およびスタンド中間部分３００が互いに結合された構成を有する。この歯ブラシスタンド１００においては、スタンド開口部分２００およびスタンド中間部分３００を互いに異なる材料により形成することもできる。
【０１０９】
・第１および第２実施形態の歯ブラシスタンド１００は、スタンド中間部分３００の全体が一体的に形成されたスタンド本体部分１１０を有する。ただし、スタンド中間部分３００の構成は、実施形態に例示される構成に限られない。例えば、変形例の歯ブラシスタンド１００は、互いに独立した部品として形成された第１変形スタンド上方部分および第１変形スタンド下方部分が互いに結合された構成を有する。第１変形スタンド上方部分は、スタンド開口部分２００、およびスタンド中間部分３００のうちの上方部分が一体的に形成された構成を有する。第１変形スタンド下方部分は、スタンド中間部分３００のうちの下方部分を有する。この歯ブラシスタンド１００においては、第１変形スタンド上方部分および第１変形スタンド下方部分を互いに異なる材料により形成することもできる。
【０１１０】
・第１および第２実施形態の歯ブラシスタンド１００は、スタンド開口部分２００、中間外壁部分３１０、および中間嵌合部分３２０が一体的に形成されたスタンド本体部分１１０を有する。ただし、スタンド開口部分２００、中間外壁部分３１０、および中間嵌合部分３２０の構成は、実施形態に例示される構成に限られない。例えば、変形例の歯ブラシスタンド１００は、互いに独立して形成された第２変形スタンド上方部分および第２変形スタンド下方部分が互いに結合された構成を有する。第２変形スタンド上方部分は、スタンド開口部分２００および中間外壁部分３１０が一体的に形成された構成を有する。第２変形スタンド下方部分は、中間嵌合部分３２０を有する。この歯ブラシスタンド１００においては、第２変形スタンド上方部分および第２変形スタンド下方部分を互いに異なる材料により形成することもできる。
【０１１１】
・第１および第２実施形態の歯ブラシスタンド１００は、支持底壁部分４１０および支持周壁部分４２０が一体的に形成されたスタンド支持部分４００を有する。ただし、支持底壁部分４１０および支持周壁部分４２０の構成は、実施形態に例示される構成に限られない。例えば、変形例の歯ブラシスタンド１００は、互いに独立した部品として形成された支持底壁部分４１０および支持周壁部分４２０が互いに結合された構成を有する。
【０１１２】
・第１および第２実施形態の歯ブラシスタンド１００は、スタンド本体部分１１０およびスタンド支持部分４００を互いに分離することが可能な構成を有する。ただし、スタンド本体部分１１０およびスタンド支持部分４００の構成は、実施形態に例示される構成に限られない。例えば、変形例の歯ブラシスタンド１００は、スタンド本体部分１１０およびスタンド支持部分４００が同一の樹脂材料により一体的に形成された構成を有する。
【０１１３】
・第１および第２実施形態のオーラルケアセット１は、スタンド開口部分２００の開口部分端面２０３と装飾リング７０のリング上面７２とが互いに接触することにより、歯ブラシスタンド１００に対する電動歯ブラシ１０の姿勢を保持する。ただし、歯ブラシスタンド１００により電動歯ブラシ１０の姿勢を保持するための構成は、実施形態に例示される構成に限られない。例えば、変形例のオーラルケアセット１は、装飾リング７０が歯ブラシスタンド１００のスタンド内部空間１０１に収納される。この変形例のオーラルケアセット１は、開口部分内面２０２とリング外面７１とが互いに接触し、ブラシ先端部分８０Ａと底壁部分主面４１２とが互いに接触することにより、歯ブラシスタンド１００に対する電動歯ブラシ１０の姿勢を保持する。
【０１１４】
・第１および第２実施形態のスタンド支持部分４００は、第２ブラシ保持状態においてスタンド支持部分４００に対する電動歯ブラシ１０の下部ケース５０の移動を規制する構成を有していない。ただし、スタンド支持部分４００の構成は、実施形態に例示される構成に限られない。例えば、変形例のスタンド支持部分４００は、スタンド支持部分４００に対する下部ケース５０の位置を規制する本体下部規制部分を有する。この変形例の本体下部規制部分は、下部ケース５０の下部湾曲部分５３を挿入することが可能な形状を有する。この変形例のオーラルケアセット１は、第２ブラシ保持状態において下部湾曲部分５３が本体下部規制部分に挿入されることにより、スタンド支持部分４００に対する下部ケース５０の移動を規制する。この変形例の本体下部規制部分は、スタンド支持部分４００の底壁部分主面４１２に対して凹む形状を有する。または、本体下部規制部分は、スタンド支持部分４００の底壁部分主面４１２から上方向ＺＡに突出した部分を有する。
【０１１５】
・第１および第２実施形態の歯ブラシスタンド１００は、スタンド本体部分１１０により歯ブラシアタッチメント８０の周囲を覆い、歯ブラシ本体２０の手持部分２２を外部に露出させた状態で電動歯ブラシ１０を保持する。ただし、歯ブラシスタンド１００により電動歯ブラシ１０を収納するための構成は、実施形態に例示される構成に限られない。例えば、変形例の歯ブラシスタンド１００は、手持部分２２の一部または全部をスタンド本体部分１１０により覆う状態で電動歯ブラシ１０を保持する。
【０１１６】
・第１および第２実施形態の歯ブラシスタンド１００は、スタンド中間部分３００に３個の通気孔３６０を有する。ただし、通気孔３６０の数に関する構成は、実施形態に例示される構成に限られない。例えば、変形例の歯ブラシスタンド１００は、１個、２個、または４個以上のいずれかの個数の通気孔３６０を有する。また、別の変形例の歯ブラシスタンド１００は、スタンド中間部分３００から通気孔３６０が省略された構成を有する。
【０１１７】
・第１および第２実施形態の歯ブラシスタンド１００は、ブラシヘッド８２の一部分と対向する形状の通気孔３６０を有する。ただし、通気孔３６０の形成位置および形状に関する構成は、実施形態に例示される構成に限られない。例えば、変形例の歯ブラシスタンド１００は、以下の（Ａ）〜（Ｃ）のいずれかの形状の通気孔を有する。
（Ａ）変形例の通気孔は、歯ブラシスタンド１００の長手方向において、ブラシヘッド８２に対向する部分からブラシステー８１に対向する部分までにわたり形成される。
（Ｂ）変形例の通気孔は、歯ブラシスタンド１００の長手方向において、ブラシ先端部分８０Ａに対向する部分からブラシヘッド８２におけるブラシステー８１との接続部分に対向する部分までにわたり形成される。
（Ｃ）変形例の通気孔は、歯ブラシスタンド１００の長手方向において、ブラシステー８１の一部または全部に対向する部分に形成される。
【０１１８】
・第１および第２実施形態の歯ブラシスタンド１００は、開口部分端面２０３とリング上面７２とが互いに接触することにより、電動歯ブラシ１０の姿勢を保持する。ただし、歯ブラシスタンド１００により電動歯ブラシ１０の姿勢を保持するための構成は、実施形態に例示される構成に限られない。例えば、変形例のオーラルケアセット１は、スタンド本体部分１１０の開口部分内面２０２に弾性樹脂部品を有する。この変形例の歯ブラシスタンド１００は、電動歯ブラシ１０の中間ケース４０を弾性樹脂部品により保持することにより、電動歯ブラシ１０の姿勢を保持する。また、別の変形例の歯ブラシスタンド１００は、スタンド中間部分３００の外壁部分内面３１２に弾性樹脂部品を有する。この変形例の歯ブラシスタンド１００は、歯ブラシアタッチメント８０を弾性樹脂部品により保持することにより、電動歯ブラシ１０の姿勢を保持する。
【０１１９】
・第１および第２実施形態の歯ブラシスタンド１００は、スタンド本体部分１１０の本体部分外面１１１に別部品が取り付けられていない。ただし、スタンド本体部分１１０の構成は、実施形態に例示される構成に限られない。例えば、変形例の歯ブラシスタンド１００は、スタンド本体部分１１０とは独立して形成された別部品が本体部分外面１１１に取り付けられる。この変形例の歯ブラシスタンド１００において、別部品が取り付けられた部分（以下、「別部品取付部分」）の幅寸法は、歯ブラシスタンド１００の正面視において、幅線分と交差する別部品の外面上の２点間の距離を示す。この変形例の歯ブラシスタンド１００における別部品取付部分の幅寸法は、スタンド支持部分４００の幅寸法よりも大きくする、スタンド支持部分４００の幅寸法よりも小さくする、またはスタンド支持部分４００の幅寸法と等しくすることができる。この変形例の歯ブラシスタンド１００は、別部品取付部分の幅寸法とスタンド支持部分４００の幅寸法との関係として上記のいずれを選択した場合においても、底壁部分底面４１３の幅寸法が外壁部分端面３１３の幅寸法よりも大きい。このため、第１および第２実施形態のオーラルケアセット１と同様、使用時において歯ブラシスタンド１００の傾きおよび転倒が生じにくくなる。
【０１２０】
・第１および第２実施形態の電動歯ブラシ１０は、中間ケース４０および歯ブラシアタッチメント８０が互いに結合および分離される構成を有する。ただし、中間ケース４０および歯ブラシアタッチメント８０の結合に関する構成は、実施形態に例示された構成に限られない。例えば、変形例の電動歯ブラシ１０は、歯ブラシアタッチメント８０が中間ケース４０に固定された構成を有する。歯ブラシアタッチメント８０の固定方法としては、例えば圧入または接着を用いることができる。この変形例の電動歯ブラシ１０によれば、歯ブラシ本体２０から歯ブラシアタッチメント８０への振動の伝達効率が高くなる。
【０１２１】
・第１および第２実施形態の電動歯ブラシ１０は、中間ケース４０とは別に構成された装飾リング７０を有する。ただし、装飾リング７０に関する構成は、実施形態に例示される構成に限られない。例えば、変形例の電動歯ブラシ１０は、装飾リング７０に代えて、中間ケース４０の一部分として形成された装飾リング７０に相当する部分を有する。また、別の変形例の電動歯ブラシ１０は、装飾リング７０に代えて、上部ケース３０の一部分として形成された装飾リング７０に相当する部分を有する。
【０１２２】
・第１および第２実施形態の電動歯ブラシ１０は、電源として乾電池を有する。ただし、電動歯ブラシ１０の電源に関する構成は、実施形態に例示される構成に限られない。例えば、変形例の電動歯ブラシ１０は、電源として２次電池を有する。
【０１２３】
・第１および第２実施形態のオーラルケアセット１は、オーラルケア装置として電動歯ブラシ１０を有し、オーラルケアスタンドとして歯ブラシスタンド１００を有する。ただし、オーラルケア装置およびオーラルケアスタンドの具体的構成は、実施形態に例示される構成に限られない。例えば、変形例のオーラルケアセットは、以下の（Ａ）〜（Ｃ）のいずれかの構成を有する。
【０１２４】
（Ａ）変形例のオーラルケアセットは、オーラルケア装置として電気部品を含まない歯ブラシを有し、オーラルケアスタンドとして同歯ブラシに適合した構成の歯ブラシスタンドを有する。歯ブラシは、装置機能部分として歯ブラシ上部分を有し、装置本体部分として歯ブラシ下部分を有する。歯ブラシ上部分は、ブラシステー、およびオーラルケア部分としてのブラシヘッドを有する。歯ブラシ下部分は、手持部分を有する。
【０１２５】
（Ｂ）変形例のオーラルケアセットは、オーラルケア装置として歯間ブラシを有し、オーラルケアスタンドとして歯間ブラシスタンドを有する。歯間ブラシは、装置機能部分として歯間ブラシ上部分を有し、装置本体部分として歯間ブラシ下部分を有する。歯間ブラシ上部分は、ブラシステー、およびオーラルケア部分としての歯間清掃部分を有する。歯間ブラシ下部分は、手持部分を有する。
【０１２６】
（Ｃ）変形例のオーラルケアセットは、オーラルケア装置としてステイン除去クリーナーを有し、オーラルケアスタンドとしてステイン除去クリーナースタンドを有する。ステイン除去クリーナーは、装置機能部分としてクリーナー上部分を有し、装置本体部分としてクリーナー下部分を有する。クリーナー上部分は、支持部分、およびオーラルケア部分としてのステイン除去部分を有する。クリーナー下部分は、手持部分を有する。
【０１２７】
（課題を解決するための手段に関する付記）
課題を解決するための手段は、下記の各付記手段のとおり記述することもできる。
（１）付記手段１は、「オーラルケア装置を保持するオーラルケアスタンドであって、前記オーラルケア装置は、オーラルケア部分を有する装置機能部分、および手持部分を有する装置本体部分を有し、前記オーラルケアスタンドは、前記オーラルケア装置の長手方向の軸が前記オーラルケアスタンドの長手方向の軸と平行または一致する状態において前記オーラルケア装置の姿勢を保持することが可能な構成を有するオーラルケアスタンド」を含む。
【０１２８】
（２）付記手段２は、「前記オーラルケアスタンドは、前記オーラルケア装置としての電動型オーラルケア装置に適合した構成を有する付記手段１に記載のオーラルケアスタンド」を含む。
【０１２９】
（３）付記手段３は、「前記オーラルケアスタンドは、前記電動型オーラルケア装置としての電動歯ブラシに適合した構成を有する付記手段２に記載のオーラルケアスタンド」を含む。
【０１３０】
（４）付記手段４は、「前記オーラルケアスタンドは、スタンド本体部分およびスタンド支持部分を有し、前記スタンド本体部分は、スタンド開口部分を有し、前記スタンド開口部分は、前記装置機能部分が挿入される開口内部空間を有し、前記スタンド支持部分は、前記オーラルケアスタンドの長手方向において前記スタンド本体部分の下方向側に形成されて前記スタンド本体部分を支持する付記手段１〜３のいずれか一手段に記載のオーラルケアスタンド」を含む。
【０１３１】
（５）付記手段５は、「前記スタンド本体部分は、スタンド中間部分を有し、前記スタンド中間部分は、前記オーラルケアスタンドの長手方向において前記スタンド開口部分の下方向側に形成されて前記スタンド開口部分を支持し、前記スタンド支持部分は、前記オーラルケアスタンドの長手方向において前記スタンド中間部分の下方向側に形成されて前記スタンド中間部分を支持する付記手段４に記載のオーラルケアスタンド」を含む。
【０１３２】
（６）付記手段６は、「前記スタンド中間部分は、前記装置機能部分の周囲を取り囲む形状を有する付記手段５に記載のオーラルケアスタンド」を含む。
（７）付記手段７は、「前記オーラルケア装置は、装置突出部分を有し、前記装置突出部分は、前記オーラルケア装置の長手方向に交差する幅方向において、前記装置機能部分よりも外方向側に突き出た形状を有し、前記スタンド開口部分は、前記オーラルケアスタンドの長手方向の上端部において開口部分端面を有し、前記オーラルケアスタンドは、前記開口部分端面において前記装置突出部分と接触することにより前記オーラルケア装置を保持する付記手段６に記載のオーラルケアセット」を含む。
【０１３３】
（８）付記手段８は、「前記オーラルケアスタンドは、前記オーラルケアスタンドの長手方向において前記装置機能部分が前記装置本体部分よりも下方向側に位置する状態、かつ前記オーラルケアスタンドの長手方向において前記装置機能部分の先端部分と前記スタンド支持部分との間に隙間が形成される状態において前記オーラルケア装置を保持することが可能な構成を有する付記手段４〜７のいずれか一手段に記載のオーラルケアスタンド」を含む。
【０１３４】
（９）付記手段９は、「前記装置突出部分は、前記装置機能部分と前記装置本体部分との間に形成されて装飾面を有する付記手段７または８に記載のオーラルケアスタンド」を含む。
【０１３５】
（１０）付記手段１０は、「前記スタンド中間部分は、通気孔を有する付記手段５に記載のオーラルケアスタンド、または付記手段５を引用する付記手段６〜９のいずれか一手段に記載のオーラルケアスタンド」を含む。
【０１３６】
（１１）付記手段１１は、「前記スタンド支持部分は、前記オーラルケアスタンドの長手方向において前記装置機能部分の先端部分と対向する支持底壁部分を有する付記手段４〜１０のいずれか一手段に記載のオーラルケアスタンド」を含む。
【０１３７】
（１２）付記手段１２は、「前記支持底壁部分は、前記オーラルケアスタンドの長手方向に直交する方向である幅方向において前記スタンド支持部分の軸から離れるにつれて前記オーラルケアスタンドの長手方向の上方向側から下方向側に向けて傾斜する底壁部分主面を有する付記手段１１に記載のオーラルケアスタンド」を含む。
【０１３８】
（１３）付記手段１３は、「前記支持底壁部分は、排水路を有する付記手段１１または１２に記載のオーラルケアスタンド」を含む。
（１４）付記手段１４は、「前記スタンド開口部分は、前記オーラルケア装置を前記装置機能部分側から前記開口内部空間に挿入すること、および前記オーラルケア装置を前記装置本体部分側から前記開口内部空間に挿入することが可能な形状を有する付記手段４〜１３のいずれか一手段に記載のオーラルケアスタンド」を含む。
【０１３９】
（１５）付記手段１５は、「前記開口内部空間は、１個の前記オーラルケア装置に適合する形状を有する付記手段４〜１４のいずれか一手段に記載のオーラルケアスタンド」を含む。
【０１４０】
（１６）付記手段１６は、「前記オーラルケアスタンドは、前記スタンド中間部分に対する前記スタンド支持部分の取り付けおよび取り外しが可能な構成を有する付記手段５に記載のオーラルケアスタンド、または付記手段５を引用する付記手段６〜１５のいずれか一手段に記載のオーラルケアスタンド」を含む。
【０１４１】
（１７）付記手段１７は、「オーラルケアセットであって、前記オーラルケア装置と、付記手段１〜１６のいずれか一手段に記載のオーラルケアスタンドとを有するオーラルケアセット」を含む。
【０１４２】
（１８）付記手段１８は、「前記オーラルケアセットは、前記オーラルケア装置として電動型オーラルケア装置を有する付記手段１７に記載のオーラルケアスタンド」を含む。
【符号の説明】
【０１４３】
１    ：オーラルケアセット
２    ：オーラルケアセット
１０  ：電動歯ブラシ
２０  ：歯ブラシ本体
２１  ：取付部分
２２  ：手持部分
３０  ：上部ケース
３１  ：上部ケース外面
３２  ：上部ケース上面
３３  ：上部ケース下面
４０  ：中間ケース
４１  ：中間ケース本体
４１Ａ：中間上方部分
４１Ｂ：中間固定部分
４１Ｃ：中間基礎部分
４１Ｄ：中間下方部分
４１Ｅ：ケース本体上面
４１Ｆ：ケース本体下面
４２  ：正面パネル
４３  ：電源ランプ
４４  ：電源スイッチ
４５  ：連結シャフト
５０  ：下部ケース
５１  ：下部嵌合部分
５２  ：下部中間部分
５３  ：下部湾曲部分
５３Ａ：下部ケース先端部分
５４  ：下部ケース外面
５５  ：下部ケース上面
６０  ：電気部品群
６１  ：電気モーター
６１Ａ：偏心分銅
６２  ：回路基板
６３  ：陰極金具
６４  ：陽極金具
６５  ：陰極リード線
６６  ：陽極リード線
７０  ：装飾リング
７１  ：リング外面
７２  ：リング上面
７３  ：リング下面
８０  ：歯ブラシアタッチメント
８０Ａ：ブラシ先端部分
８１  ：ブラシステー
８１Ａ：ステー嵌合部分
８１Ｂ：ステー下面
８２  ：ブラシヘッド
８３  ：ヘッドカバー
８４  ：ブリッスル束
１００：歯ブラシスタンド
１０１：スタンド内部空間
１１０：スタンド本体部分
１１１：本体部分外面
１１２：本体部分内面
１１３：本体内部空間
２００：スタンド開口部分
２０１：開口部分外面
２０２：開口部分内面
２０３：開口部分端面
２０４：開口内部空間
３００：スタンド中間部分
３０１：中間内部空間
３１０：中間外壁部分
３１１：外壁部分外面
３１２：外壁部分内面
３１３：外壁部分端面
３１４：外壁内部空間
３２０：中間嵌合部分
３２１：嵌合内部空間
３３０：嵌合環状部分
３３１：環状大径部分
３３２：環状小径部分
３３３：環状部分外面
３３４：環状部分内面
３３５：環状部分端面
３４０：嵌合規制部分
３４１：規制部分外面
３４２：規制部分端面
３４３：規制部分側面
３５０：嵌合連結部分
３５１：連結部分外面
３５２：連結部分内面
３５３：連結部分端面
３５４：連結部分側面
３６０：通気孔
４００：スタンド支持部分
４０１：支持部分外面
４０２：支持部分内面
４０３：支持内部空間
４１０：支持底壁部分
４１１：底壁部分外面
４１２：底壁部分主面
４１３：底壁部分底面
４２０：支持周壁部分
４２１：周壁部分外面
４２２：周壁部分内面
４２３：周壁部分端面
４３０：支持突起部分
４４０：排水路
４４１：溝底面
４４２：溝側面
５００：スタンドテーブル
【図１】
0006024946.tif 000002
【図２】
0006024946.tif 000003
【図３】
0006024946.tif 000004
【図４】
0006024946.tif 000005
【図５】
0006024946.tif 000006
【図６】
0006024946.tif 000007
【図７】
0006024946.tif 000008
【図８】
0006024946.tif 000009
【図９】
0006024946.tif 000010
【図１０】
0006024946.tif 000011
【図１１】
0006024946.tif 000012
【図１２】
0006024946.tif 000013
【図１３】
0006024946.tif 000014
【図１４】
0006024946.tif 000015
【図１５】
0006024946.tif 000016
【図１６】
0006024946.tif 000017